(57)【要約】【課題】苗木の周囲の地面が不用意に露出するのを防止する防草具を提供する。【解決手段】防草具１は、２つの板状部材１Ａ，１Ｂを有し、これら板状部材１Ａ，１Ｂを結合することによって、中心部分に、苗木等の樹木が位置する苗木用穴１ａが形成されるものである。各板状部材１Ａ，１Ｂは、合成樹脂、紙、金属などの成型加工品で、平面視で半円形状である。各板状部材１Ａ，１Ｂは、直線部分を対向させて接合し、接合ピン１Ａａを接合穴１Ｂａに挿入することで板状部材１Ａ，１Ｂが接合され、防草具１とされる。【選択図】  図２
2018000068.tif 000002
【特許請求の範囲】
【請求項１】
樹木用穴を有し、樹木の周囲の地表を覆うように設置される防草具であって、
２つの板状部材を備え、前記２つの板状部材を組み合わせることで前記樹木用穴が形成されるものであり、
前記２つの板状部材の間には、前記２つの板状部材を接合する接合手段が設けられていることを特徴とする防草具。
【請求項２】
前記板状部材は、一方に上方又は下方に突出する接合ピンが、他方に前記接合ピンに対応して接合穴がそれぞれ設けられ、前記接合ピンを接合穴に挿入することで接合される請求項１に記載の防草具。
【請求項３】
前記板状部材は、一方に水平方向に突出する凸部が、他方に前記凸部に対応して凹部がそれぞれ設けられ、前記凸部を前記凹部に嵌め込むことで接合される請求項１に記載の防草具。
【請求項４】
各前記板状部材は、合成樹脂、紙、金属などの成型加工品で、前記樹木用穴の周囲の部分に同心状に切断線が設けられ、
前記樹木用穴の周囲の部分は、前記切断線に沿って一部を除去することで、前記樹木用穴の大きさを調整変更可能である請求項２又は３に記載の防草具。
【請求項５】
前記各板状部材には、打ち抜き可能である複数の薄肉部分が設けられ、
筒状で下端に複数の取付ピンを前記複数の薄肉部分に対応して有する食害防止用の保護カバーを、前記取付ピンにて前記薄肉部分を打ち抜くことで取付可能である請求項１〜４のいずれか１つに記載の防草具。
【請求項６】
前記保護カバーは、２つの半筒状部材を結合することで形成されるものであり、
各前記半筒状部材は、半筒状の採光部と、その上下縁に設けられる上下板部と、前記採光部の左右側縁に設けられる側板部とを有し、前記側板部どうしを結合することで、円筒形状の保護カバーとされるものであり、
前記保護カバーが取り付けられた状態で、平面視で、前記板状部材の接合線と前記半筒状部材の結合線が交差している請求項５記載の防草具。
【請求項７】
前記各板状部材は、下面に地面に差し込まれる移動防止ピンが設けられている請求項１〜４のいずれか１つに記載の防草具。
【発明の詳細な説明】
【技術分野】
【０００１】
本発明は、苗木、成木等の樹木の周囲の地表に置いて雑草等の繁殖を防止する防草具に関するものである。
【背景技術】
【０００２】
植林のため原野や伐採跡地に植えた小さな苗木は、植林後数年間は、その周囲の雑草を刈り払う必要がある。雑草の刈り払いには草刈機を用い、苗木が小さい場合には、雑草と苗木を判別して、雑草のみを刈り払う方法がとられている。
【０００３】
また、草刈りの手間を省くために、植林の際に苗木の根元に、つまり苗木の周囲の地表にシートやフィルムを張ることも知られている。
【０００４】
ところで、苗木が小さい場合には、苗木が雑草の中に紛れて判別が困難で、草刈機で誤って苗木まで切断するおそれがあった。
【０００５】
一方、シートやフィルムを安定的に設置するためには、多数の杭でしっかり止める必要があり、この杭打ち作業に相当の労力が必要になる。
【０００６】
そこで、苗木の成長の妨げとなる雑草が生えるのを防止し、その雑草を刈り払う際に苗木まで切除してしまうの回避するために、植林された苗木の位置を目視で確認しやすくすると共に、雑草を生えにくくするために、苗木の周囲を複数個のブロック部材からなるブロックで囲むようにする植林用ブロックが提案されている（特許文献１参照）。
【先行技術文献】
【特許文献】
【０００７】
【特許文献１】特開２００７−２３６３１６号公報
【発明の概要】
【発明が解決しようとする課題】
【０００８】
特許文献１のものでは、ブロック部材どうしを突き合わせて設置しているだけであるので、ブロック部材同士が離れて、苗木の周囲の地面が露出してしまい、雑草が生えるのを防止する防草効果を十分に発揮できなくなるおそれがある。
【０００９】
本発明は、樹木の周囲の地面が不用意に露出するのを防止する防草具を提供することを目的とする。
【課題を解決するための手段】
【００１０】
請求項１の発明は、樹木用穴を有し、樹木の周囲の地表を覆うように設置される防草具であって、２つの板状部材を備え、前記２つの板状部材を組み合わせることで前記樹木用穴が形成されるものであり、前記２つの板状部材の間には、前記２つの板状部材を接合する接合手段が設けられていることを特徴とする。
【００１１】
このようにすれば、２つの板状部材が接合手段によって接合されているので、樹木の周囲の地面を覆う状態が確実に維持され、板状部材の移動などにより樹木の周囲の地面が不用意に露出するのが防止される。よって、樹木の周囲に雑草が生えるのを防止する防草効果が十分に発揮される。
【００１２】
この場合、請求項２に記載のように、前記板状部材は、一方に上方又は下方に突出する接合ピンが、他方に前記接合ピンに対応して接合穴がそれぞれ設けられ、前記接合ピンを接合穴に挿入することで接合される、ようにすることができる。
【００１３】
請求項３に記載のように、前記板状部材は、一方に水平方向に突出する凸部が、他方に前記凸部に対応して凹部がそれぞれ設けられ、前記凸部を前記凹部に嵌め込むことで接合される、ようにすることができる。
【００１４】
請求項４に記載のように、各前記板状部材は、合成樹脂、紙、金属などの成型加工品で、前記樹木用穴の周囲の部分に同心状に切断線が設けられ、前記樹木用穴の周囲の部分は、前記切断線に沿って一部を除去することで、前記樹木用穴の大きさを調整変更可能である、ことが望ましい。
【００１５】
請求項５に記載のように、前記各板状部材には、打ち抜き可能である複数の薄肉部分が設けられ、筒状で下端に複数の取付ピンを前記複数の薄肉部分に対応して有する食害防止用の保護カバーを、前記取付ピンにて前記薄肉部分を打ち抜くことで取付可能である、ことが望ましい。
【００１６】
請求項６に記載のように、前記保護カバーは、２つの半筒状部材を結合することで形成されるものであり、各前記半筒状部材は、半筒状の採光部と、その上下縁に設けられる上下板部と、前記採光部の左右側縁に設けられる側板部とを有し、前記側板部どうしを結合することで、筒状の保護カバーとされるものであり、前記保護カバーが取り付けられた状態で、平面視で、前記板状部材の接合線と前記半筒状部材の結合線が交差している、ことが望ましい。
【００１７】
請求項７に記載のように、前記各板状部材は、下面に地面に差し込まれる移動防止ピンが設けられている、ことが望ましい。
【発明の効果】
【００１８】
本発明は、２つの板状部材を接合手段によって接合しているので、樹木の周囲の地面を覆う状態を確実に維持することができる。よって、板状部材の移動などにより樹木の周囲の地面が不用意に露出されるのを防止することができ、樹木の周囲に雑草が生えるのを防止する防草効果が損なわれることがない。
【図面の簡単な説明】
【００１９】
【図１】本発明に係る防草具を樹木の根元に設置した状態を示す図である。
【図２】前記防草具を分割して示す図である。
【図３】前記防草具の他の例を示す図である。
【図４】保護カバーを用いる場合の説明図である。
【図５】前記防草具を、地面に固定する方法の説明図である。
【図６】前記防草具を、地面に固定する、他の方法の説明図である。
【図７】前記防草具の板状部材の使用例を示す図である。
【発明を実施するための形態】
【００２０】
以下、本発明の実施の形態を図面に沿って説明する。
【００２１】
図１は本発明に係る防草具を樹木の根元に設置した状態を示す図、図２は前記防草具を分割して示す図である。
【００２２】
図１に示すように、防草具１は、円板形状で、苗木２（樹木）の根元に設置され、苗木２の周囲の地表面を覆うように設けられる。これにより、苗木２の成長の妨げとなる雑草が生えるのを防止することができる。また、防草具１は目印となり、雑草を刈り払う際に苗木２まで切除してしまうのを回避することができる。
【００２３】
この防草具１は、図２に示すように、２つの板状部材１Ａ，１Ｂを有し、これら板状部材１Ａ，１Ｂを組み合わせることで、中心部分に、苗木が位置する苗木用穴１ａ（樹木用穴）が形成される。各板状部材１Ａ，１Ｂは、例えば合成樹脂、紙、金属などの成型加工品で、平面視で略半円板形状である。なお、苗木用穴１ａは、防草具１の中心からずれていてもよく、防草具１も、平面視で、円板形状である必要はなく、例えば多角形状、楕円形状などであってもよい。
【００２４】
各板状部材１Ａ，１Ｂは、直線(直径)部分が対向するように配置し、その状態で、接合ピンを接合穴に挿入することで接合し、苗木用穴１ａを形成するようになっている。各板状部材１Ａ，１Ｂは、同一形状で、外周の環状部分において、円周方向の一方側端部が、接合ピンが突出する板部である一方、他方側端部が、前記接合ピンが挿入可能である接合穴が設けられた板部である。そして、各板状部材１Ａ，１Ｂは、可撓性を有し撓むように形成されているので、板状部材１Ａ，１Ｂの外周部分の端部どうしは、接合時に接合ピンを接合穴に無理なく挿入できる。
【００２５】
つまり、図２に示すように、板状部材１Ａの、外周部分の一方側端部には、上方に突出する接合ピン１Ａａが設けられている一方、板状部材１Ｂの，外周部分の一方側端部には接合ピン１Ａａが挿入可能である接合穴１Ｂａが、接合ピン１Ａａに対応して設けられている。そして、接合ピン１Ａａを接合穴１Ｂａに挿入することで前記一方側端部どうしが接合される。また、板状部材１Ａ，１Ｂの他方側端部どうしも、上下関係が逆になるが、同様に接合される。このように、一方側端部どうしと他方側端部どうしとが、接合ピンの挿入方向が逆になるように接合ピンを接合穴に挿入することになるので、両部材１Ａ，１Ｂは不用意に外れないように接合される。
【００２６】
この場合、両板状部材１Ａ，１Ｂは、図３に示すように接合することも可能である。つまり、一方の板状部材１Ａに水平方向に突出する凸部１Ａｂを設け、他方の板状部材１Ｂに凸部１Ａｂが係脱可能に係合する凹部１Ｂｂを、凸部１Ａｂに対応して設け、凸部１Ａｂを凹部１Ｂｂに嵌め込むことで接合している。
【００２７】
各板状部材１Ａ，１Ｂは、苗木用穴１ａの周囲の部分に切断線Ｓが同心状に設けられ、その切断線Ｓに沿って切断が容易に行えるようになっている。これによって、切断線Ｓに沿って、苗木用穴１ａの周囲の部分（中心側部分）を切断して一部を除去することで、必要に応じて苗木用穴１ａの大きさを変更可能とされている。よって、防草具１を設置しようとする苗木２の大きさに応じて設置時に苗木用穴１ａの大きさを変更したり、苗木２の成長に応じて苗木用穴１ａの大きさを大きくして使用したりすることができる。本例では、切断線Ｓは３本設けているが、これに制限されるものではない。
【００２８】
図４に示すように、苗木用穴１ａの周囲には、円筒状の保護カバー１１を取り付けるために打ち抜き可能である複数の円形状の薄肉部分１Ａｃ，１Ｂｃが形成されている。この保護カバー１１は、野生動物等の食害から苗木を保護して、成長促進を図ったり、被害を受けた苗木の樹勢の回復などを図ったりするものである。
【００２９】
保護カバー１１は、例えば特許第３７９６２４４号公報に記載されるもので、２つの半筒状部材１１Ａ，１１Ａを結合してなるもので、各半筒状部材１１Ａは、側面の大部分が内部に日光を取り込めるように網状の採光部１１ａとなっている。
【００３０】
各半筒状部材１１Ａは、半筒状の採光部１１ａの上下縁に上下板部１１ｂ，１１ｃが設けられ、採光部１１ａの左右側縁に、上下板部１１ｂ，１１ｃを連結している側板部１１ｄ，１１ｄが設けられている。そして、対向する側板部１１ｄ，１１ｄどうしをボルトなどの結合具で連結することで２つの半円筒状部材１Ａ，１Ａを結合して、円筒形状の保護カバー１１とされる。
【００３１】
また、下基板１１ｃには、防草具１への取り付けのために、下方に突出する複数の取付ピン１１ｅが設けられている。これらの取付ピン１１ｅに対応して薄肉部分１Ａｃ，１Ｂｃが設けられており、取り付けの際に取付ピン１１ｅにて薄肉部分１Ａｃ，１Ｂｃを打ち抜くことで、防草具１の上側に保護カバー１１が取り付けられる。防草具１を貫通した取付ピン１１ｅの先端部分は、地中に差し込まれ、防草具１や保護カバー１１が不用意に移動しないようになっている。
【００３２】
そして、板状部材１Ａ，１Ｂの接合線Ｌ１は、半筒状部材１１Ａ，１１Ｂの結合線Ｌ２とは異なる位置（この実施の形態では周方向にほぼ９０度ずれている）となるように設けられる。これにより、保護カバー１１（半筒状部材１１Ａ，１１Ｂ）を設けた場合に、保護カバー１１に何かが当たっても、接合線Ｌ１が結合線Ｌ２とずれていることにより、板状部材１Ａ，１Ｂの接合が外れにくくなっている。
【００３３】
前記実施の形態では、保護カバー１１を設けているため、取付ピン１１ｅにて、設置位置から防草具１が移動しないようにしているが、保護カバー１１を設けない場合は、図５に示すように、各板状部材１Ａ，１Ｂの下面に下方に突出する移動防止ピン１Ａｄ，１Ｂｄを設け、設置時に移動防止ピン１Ａｄ，１Ｂｄを地中に差し込むことで、防草具１が不用意に移動しないようにし、設置位置が確実にずれないようにすることもできる。また、移動防止ピンを設けることなく、図６に示すように、ビスなどの固定ピン１２を、防草具１（板状部材１Ａ，１Ｂ）を貫通させ、固定ピン１２の先端を地中に差し込んで、防草具１を移動不能に固定することも可能である。
【００３４】
さらに、板状部材１Ｂ（又は板状部材１Ａ）は、図７に示すように、支え棒１３の先端に固定して、樹木１４の枝１４ａなどを支える支え部材の受け部として使用することもできる。この場合、支え棒１３の下端は地中に差し込まれ、移動しないようにされる。また、板状部材１Ｂには、支え棒１３を２つのビスで結合するための結合穴を予め設けておくこともできる(図６の結合穴１Ｂｅ参照）。
【符号の説明】
【００３５】
１  防草具
１ａ  苗木用穴
１Ａ  板状部材
１Ａａ  接合ピン
１Ａｂ  凸部
１Ａｃ  薄肉部分
１Ａｄ  移動防止ピン
１Ｂ  板状部材
１Ｂａ  接合穴
１Ｂｂ  凹部
１Ｂｃ  薄肉部分
１Ｂｄ  移動防止ピン
１Ｂｅ  結合穴
１１  保護カバー
１１Ａ  半筒状部材
１１ａ  採光部
１１ｂ  上板部
１１ｃ  下板部
１１ｄ  側板部
１１ｅ  取付ピン
１２  固定ピン
１３  支え棒
１４  枝
【図１】
2018000068.tif 000003
【図２】
2018000068.tif 000004
【図３】
2018000068.tif 000005
【図４】
2018000068.tif 000006
【図５】
2018000068.tif 000007
【図６】
2018000068.tif 000008
【図７】
2018000068.tif 000009